(57)【要約】【課題】パチンコ機の入れ替え作業に邪魔にならないようにすることができるアウト球回収装置を簡単な構成によって提供すること。【解決手段】パチンコ島を構成する台枠２００上に固定される台本体１０と、この台本体１０に取り付けられてパチンコ機から排出されてきたアウト球を受けて回収する回収ボックス２０と、この回収ボックス２０の排出口側に取り付けられるアウト球排出樋３０とを備えたアウト球回収装置１００であって、台本体１０及び回収ボックス２０の、パチンコ機とは反対側となる面に第１ヒンジ部１１及び第２ヒンジ部２１をそれぞれ設けて、これらの第１及び第２ヒンジ部１１・２１を、パチンコ機２１０と略平行となるヒンジピン４０にて連結することにより、台本体１０を台枠２００上に固定したままの状態で、回収ボックス２０をパチンコ島の中央側に回動し得るようにしたこと。【選択図】図１
2005287692.tif 000002
【特許請求の範囲】
【請求項１】
パチンコ島を構成する台枠上に固定される台本体と、この台本体に取り付けられてパチンコ機から排出されてきたアウト球を受けて回収する回収ボックスと、この回収ボックスの排出口側に取り付けられるアウト球排出樋とを備えたアウト球回収装置であって、
前記台本体及び回収ボックスの、前記パチンコ機とは反対側となる面に第１ヒンジ部及び第２ヒンジ部をそれぞれ設けて、これらの第１及び第２ヒンジ部を、前記パチンコ機と略平行となるヒンジピンにて連結することにより、前記台本体を前記台枠上に固定したままの状態で、前記回収ボックスを前記パチンコ島の中央側に回動し得るようにしたことを特徴とするアウト球回収装置。
【請求項２】
前記台本体上に一対の支持脚を設けて、これらの支持脚により、当該台本体上に回動されてきた前記回収ボックスの下面を支持するようにして、アウト球が落下してきた前記回収ボックスを略水平状に支持するようにしたことを特徴とする請求項１に記載のアウト球回収装置。
【請求項３】
前記第２ヒンジ部を、前記回収ボックスの下面に一体的に形成した複数の案内爪に係合させることにより、前記回収ボックスを前記台本体に対して、前記パチンコ機の表裏方向にスライド調整可能としたことを特徴とする請求項１または請求項２に記載のアウト球回収装置。
【請求項４】
前記アウト球排出樋を前記回収ボックスに回動可能に連結することにより、このアウト球排出樋の先端位置を自由に変えられるようにしたことを特徴とする請求項１〜請求項３のいずれかに記載のアウト球回収装置。
【請求項５】
前記アウト球排出樋の先端部に、アウト球の計数を行うタウンタのためのカウンタ支持部を形成したことを特徴とする請求項１〜請求項４のいずれかに記載のアウト球回収装置。
【発明の詳細な説明】
【技術分野】
【０００１】
本発明は、パチンコ島を構成している各パチンコ機から排出されたアウト球を、当該パチンコ島内部に設けた回収樋に回収するためのアウト球回収装置に関するものである。
【背景技術】
【０００２】
一般に、パチンコ島を構成しているパチンコ機では、特許文献１の段落０００２にも記載されているように、パチンコ機盤面を転動したアウト球は、盤面下部に設けられたアウト口から機裏へ排出される。このアウト球は、図６（特許文献１の図１）に示すように、パチンコ島内部に設けた回収樋を流れて回収される。この際、アウト球は、機裏の排出口からパチンコ島に取付けたアウト球回収装置に受け入れられ、カウンタに導いてアウト球を計数した上で、回収樋に流下するようにされている。このため、アウト球回収装置には、パチンコ機の機裏から排出されるアウト球を受け入れる受皿と、アウト球をカウンタに誘導する誘導樋が設けられている。
【０００３】
そこで、この特許文献１の発明では、図７（特許文献１の図８）及び図８（特許文献１の図２）に示すように、例えば、
「パチンコ機から排出されたアウト球を受け入れる受皿ボックスと、受け入れたアウト球を整流する樋ボックスからなるアウト球タンク装置において、樋ボックスが設置島に固定されるベースにスライド可能に取付けられ、また、受皿ボックスが該樋ボックスのスライドする方向と直交する方向へスライド可能に該樋ボックス上に取付けられること」
により、左右のみならず、前後方向にも容易に調整してアウト球を確実に受け入れるようにできるアウト球タンク装置とすることができたものである。
【０００４】
また、特許文献２でも述べられているように、この種のアウト球回収装置自体は、パチンコ島を構成している台の下横枠に、釘で打ちつけて固定することもなされることがある。その場合であっても、パチンコ機の流行り廃りや使用頻度等に応じて、或いはある程度の期間が過ぎて新型の機種への移行を行いたいときには、アウト球回収装置自体はそのままにして、パチンコ機のみの入れ換えが行われる。何故なら、アウト球回収装置自体は、パチンコ島の共通設備であり、パチンコ機の機種を変えたからといって変える必要のあるものではないからである。
【０００５】
この入れ換えの際には、パチンコ機裏側内部にまで入り込む状態で取り付けられているアウト球回収装置の受皿が邪魔になるので、アウト球回収装置自体をパチンコ島台の下横枠から一旦取り外し、新しいパチンコ機に入れ換えた後、再度取り付ける必要がある。しかし、このアウト球回収装置の取り外し及び取り付けは、前述したように釘で打ちつけられているので労力を要するだけでなく、十数台ないし数十台という数量を行わなければならないので、極めて煩雑な作業となっているのが実情である。
【０００６】
また、前記したように、アウト球の落下口はメーカーや機種によって位置が異なるため、古いパチンコ機を取り外し、新しいパチンコ機を取り付けた後、入れ換えたパチンコ機のアウト球落下口の位置に合わせて、取り外したアウト球回収装置を再度固定しなければならない。
【０００７】
パチンコ島台の下横枠は木製であるので、木螺子による再固定に際しては、同じ螺子穴を何度も使うことができないため、入れ換え回数が極めて多数回になった場合には、下横枠自体を交換しなければならない場合もある。しかも、これら全ての作業は、閉店後から翌日の開店時間前までの僅かの限られた時間に行わなければならないので、正確さだけでなく迅速さも要求され、著しく煩雑な作業となっている。
【０００８】
そこで、この特許文献２の発明では、パチンコ島台の下横枠から取り外すことなくパチンコ機の入れ換えが可能であり、しかも入れ換えたパチンコ機及び計数機の種類に対応した微調整が可能なパチンコ機のアウト球タンクを提供することを目的として、図９（当該特許文献２の代表図）に示すような、
「後面板と、左右の側壁板と、底面板と、アウト球を計数機及び回収ラインへ送り込むアウト球排出通路部と、を有すると共に、前記後面板及び／又は側壁板がパチンコ機が設置される島台に取付固定されており、パチンコ機の入れ換え交換時に取付固定を維持した状態で、底面板のみがパチンコ機裏側後方外部へ後退可能な構成であるパチンコ機のアウト球タンクであって、底面板が高さ調節可能に取り付けられており、底面板の前辺には、パチンコ機裏側の下枠の上面に先端が接触状態で載り掛かり、パチンコ機と底面板との隙間を埋めるバイザー状部材が高さ調節可能に取り付けられていること」
を提案しているのである。
【特許文献１】特開平１０−２７７２２７号公報、段落０００２、図１、図２、図８
【特許文献２】特開２００３−６２２９８号公報、要約、代表図
【発明の開示】
【発明が解決しようとする課題】
【０００９】
しかしながら、特許文献１の発明では、「樋ボックスが設置島に固定されるベースにスライド可能に取付けられ、また、受皿ボックスが該樋ボックスのスライドする方向と直交する方向へスライド可能に該樋ボックス上に取付け」たことによって、それぞれの部品が別々となっており、別機種のパチンコ機を設置する場合には、これらの別部品をバラバラにしないと工事ができないことになる。
【００１０】
構成部品をバラバラにすれば、これを邪魔にならないようにどこかに置かなければならないし、後にこれらを組み立てるときには探さなければならない。このことは、パチンコ島を構成している多数のパチンコ機のそれぞれについて発生するから、作業上非常に大変にならざるを得ない。
【００１１】
その点、特許文献２の発明では、図９に示すように、「底面板のみがパチンコ機裏側後方外部へ後退可能な構成」としているから、別機種のパチンコ機を設置する場合に、これらの別部品をバラバラにしないと工事ができないということはない。
【００１２】
しかしながら、この特許文献２の発明では、
「底面板が高さ調節可能に取り付けられており、底面板の前辺には、パチンコ機裏側の下枠の上面に先端が接触状態で載り掛かり、パチンコ機と底面板との隙間を埋めるバイザー状部材が高さ調節可能に取り付けられていること」
を特徴とするものであるため、この「バイザー状部材」を別途設けなければならないし、この「バイザー状部材（１８）」を下枠（２２）上に掛けなければならない。
【００１３】
しかも、この「バイザー状部材（１８）」は、当該特許文献２の段落００２８に記載されているように、「該バイザー状部材（１８）の根元部下部に設けられている凸状差込部（１８Ａ）が、底面板（１５）の前辺に設けられている凹溝（１５Ｅ）に摺動可能に嵌挿されることにより取り付けられている」ものとしなければならない。そうしないと、底面板（１５）の前辺部分とパチンコ機裏側の下枠（２２）との間に未だ微妙に隙間が残っている場合に、底面板（１５）前辺の凹溝（１５Ｅ）に嵌挿されているバイザー状部材（１８）の取付高さを摺動変更することのみでは、当該隙間を埋めることができなくなるからである。
【００１４】
さらに、この種のアウト球回収装置で問題になるのは、アウト球の排出位置である。上述したように、この種のアウト球回収装置から排出されたアウト球は、カウンタに導いて係数し、その後パチンコ島内部の回収樋上に向けて流さなければならないものである。回収樋上は、アウト球を滞りなく流さなければならないため、上述したカウンタもこの回収樋上に浮かせた状態で支持しておかねばならない。しかも、このカウンタもパチンコ島を構成するものであって、別機種のパチンコ機を設置する場合であっても、その取付位置を変えるような工事は行いたくないものである。
【００１５】
別機種のパチンコ機を設置した場合には、この種のアウト球回収装置を構成している各部材の位置調整を行わなければならないことは、上記各特許文献に記載されている通りであるが、その場合には、当然アウト球の排出位置も変化し、その排出位置とカウンタとの位置も合わせなければならないことになる。
【００１６】
つまり、この種のアウト球回収装置においては、次のような種々な要望があるのである。
（１）新規なパチンコ機を導入する場合であっても、それに応じた交換は不要であること。
（２）新規に導入されるパチンコ機の設置作業に邪魔にならないようにすること。
（３）新規なパチンコ機を導入するにあたって、それに応じた各部の分解及び再組立を行わなくてよいこと。
（４）新規に導入されるパチンコ機に応じた各部の位置調整が行えること。
（５）アウト球の回収樋上に対する排出位置が、当該回収装置の取付位置調整を行うことなく自由に設定できること。
【００１７】
そこで、本発明者は、上記の（１）〜（５）の要望の全てを同時に解決するにはどうしたらよいか、について種々検討を課させてきた結果、本発明を完成したのである。
【００１８】
すなわち、本発明の目的とするところは、まず、パチンコ機の入れ替え作業に邪魔にならないようにすることができて、最終的には、上記の（１）〜（５）の要望の全てを同時に解決することのできるアウト球回収装置を簡単な構成によって提供することである。
【課題を解決するための手段】
【００１９】
以上の課題を解決するために、まず、請求項１に係る発明の採った手段は、後述する最良の形態の説明中で使用する符号を付して説明すると、
「パチンコ島を構成する台枠２００上に固定される台本体１０と、この台本体１０に取り付けられてパチンコ機２１０から排出されてきたアウト球を受けて回収する回収ボックス２０と、この回収ボックス２０の排出口２２側に取り付けられるアウト球排出樋３０とを備えたアウト球回収装置１００であって、
台本体１０及び回収ボックス２０の、パチンコ機２１０とは反対側となる面に第１ヒンジ部１１及び第２ヒンジ部２１をそれぞれ設けて、これらの第１及び第２ヒンジ部１１・２１を、パチンコ機２１０と略平行となるヒンジピン４０にて連結することにより、台本体１０を台枠２００上に固定したままの状態で、回収ボックス２０をパチンコ島の中央側に回動し得るようにしたことを特徴とするアウト球回収装置１００」
である。
【００２０】
すなわち、この請求項１に係るアウト球回収装置１００は、パチンコ島を構成する台枠２００上に固定される台本体１０と、この台本体１０に取り付けられてパチンコ機２１０から排出されてきたアウト球を受けて回収する回収ボックス２０と、この回収ボックス２０の排出口２２側に取り付けられるアウト球排出樋３０とを備えたものであり、これら各台本体１０、回収ボックス２０、及びアウト球排出樋３０は、合成樹脂等を材料としてそれぞれ別途に成形あるいは形成したものである。
【００２１】
そして、このアウト球回収装置１００では、図１及び図３に示すように、台本体１０及び回収ボックス２０の、パチンコ機２１０とは反対側となる面に第１ヒンジ部１１及び第２ヒンジ部２１がそれぞれ設けてある。これらの第１及び第２ヒンジ部１１・２１は、図１及び図５に示すように、パチンコ機２１０と略平行となるヒンジピン４０にて連結してある。
【００２２】
その結果、このアウト球回収装置１００においては、図５に示すように、台枠２００上に固定したままの状態の台本体１０に対して、回収ボックス２０が、図５中の点線あるいは二点鎖線で示した方向、つまりパチンコ島の中央側に回動され得るものとなっているのである。この回収ボックス２０の台本体１０に対する回動は、パチンコ機２１０と略平行となるヒンジピン４０を介して行うのであるから、回収ボックス２０をパチンコ島の中央側に回すだけで簡単に行えるものとなっている。当然、逆の操作で、当該回収ボックス２０を図５に示した位置に復帰させることも簡単に行える。
【００２３】
これにより、このアウト球回収装置１００を設置したパチンコ島において、パチンコ機２１０の入れ替えを行おうとするとき、回収ボックス２０を図５中の点線あるいは二点鎖線で示した位置にまで回動させれば、パチンコ機２１０の下方が大きく開くことになるから、パチンコ機２１０の入れ替え作業がこのアウト球回収装置１００に邪魔をされることなく行えることになる。このとき、図１及び図５に示すように、台本体１０及び回収ボックス２０の第１ヒンジ部１１及び第２ヒンジ部２１が、パチンコ機２１０とは反対側となる面にそれぞれ設けてあり、かつヒンジピン４０がパチンコ機２１０とは反対側となる部分に位置しているため、回動された回収ボックス２０は、パチンコ機２１０から大きく離れることになって、パチンコ機２１０の入れ替え作業をよりし易くしているのである。
【００２４】
勿論、このパチンコ機２１０の入れ替え作業時においては、回動された回収ボックス２０がパチンコ機２１０から大きく離れることになるのであるから、台本体１０を台枠２００から外す必要は全くない。このため、従来であればこの台本体１０の取外し及び取付作業が必要で、しかもその位置決めも問題となったのであるが、本発明に係るアウト球回収装置１００では、そのような問題の発生余地は全くないのである。
【００２５】
従って、この請求項１のアウト球回収装置１００は、パチンコ機２１０の入れ替え作業を行う際に、簡単な操作で邪魔にならないものとすることができるのであり、入れ替え作業終了後の復帰作業も簡単に行えるのであり、結果として、パチンコ機２１０の入れ替え作業を容易に行えるようにするものとなっているのである。
【００２６】
上記課題を解決するために、請求項２に係る発明の採った手段は、上記請求項１に記載のアウト球回収装置１００について、
「台本体１０上に一対の支持脚１３を設けて、これらの支持脚１３により、当該台本体１０上に回動されてきた回収ボックス２０の下面を支持するようにして、アウト球が落下してきた回収ボックス２０を略水平状に支持するようにしたこと」
である。
【００２７】
すなわち、この請求項２のアウト球回収装置１００では、図２及び図３に示すように、台本体１０上に一対の支持脚１３を設けたものであり、これらの支持脚１３により、当該台本体１０上に回動されてきた、つまり図５中の実線にて示した位置に復帰されてきた回収ボックス２０を略水平状に支持するのである。
【００２８】
パチンコ機２１０が作動中のときの回収ボックス２０は、図５にも示すように、これに対してアウト球が常に落下してくるから、この落下してくるアウト球によって、あるいは当該回収ボックス２０内に集められた多数のパチンコ球によって重力を受ける。衝撃は当該回収ボックス２０内に貼ってある衝撃吸収用のゴムシートによって吸収されるが、このゴムシートはパチンコ球の重力を和らげるものではないため、各支持脚１３が重力に耐える役目を果たすのである。もし、回収ボックス２０が台本体１０に対してヒンジピン４０のみによって支えられているとすれば、このヒンジピン４０で当該アウト球回収装置１００が損傷を受けてしまうことになるが、この請求項２のアウト球回収装置１００ではそのようなことはないのである。
【００２９】
従って、この請求項２のアウト球回収装置１００は、請求項１のそれと同様な効果を発揮する他、各支持脚１３によって回収ボックス２０をしっかりと支えることができ、耐久性に優れたものとなっているのである。
【００３０】
上記課題を解決するために、請求項３に係る発明の採った手段は、上記請求項１または請求項２に記載のアウト球回収装置１００について、
「第２ヒンジ部２１を、回収ボックス２０の下面に一体的に形成した複数の案内爪２３に係合させることにより、回収ボックス２０を台本体１０に対して、パチンコ機２１０の表裏方向にスライド調整可能としたこと」
である。
【００３１】
すなわち、この請求項３のアウト球回収装置１００では、図３及び図５に示すように、複数の案内爪２３を回収ボックス２０の下面に一体的に形成しておく一方、第２ヒンジ部２１のヒンジピン４０とは反対側になる部分を大きく延在したものとしてこれをスライド部２１ａとして、このスライド部２１ａを複数の案内爪２３間にスライド自在状態で係合させたものである。
【００３２】
これにより、回収ボックス２０は、当該第２ヒンジ部２１によって台本体１０側に回動自在に連結されることは当然として、この第２ヒンジ部２１に対してスライド可能となるのであるから、図５中の実線にて示した位置にある回収ボックス２０の、パチンコ機２１０に対する位置調整が行えるのである。
【００３３】
従って、この請求項３のアウト球回収装置１００によれば、上記請求項１または請求項２のそれと同様な効果を発揮する他、入れ替えたパチンコ機２１０のアウト球排出位置に、回収ボックス２０の位置を合わせることができるのである。
【００３４】
上記課題を解決するために、請求項４に係る発明の採った手段は、上記請求項１〜請求項３のいずれかに記載のアウト球回収装置１００について、
「アウト球排出樋３０を回収ボックス２０に回動可能に連結することにより、このアウト球排出樋３０の先端位置を自由に変えられるようにしたこと」
である。
【００３５】
すなわち、この請求項４のアウト球回収装置１００は、図３に示すヒンジ軸３１によって、アウト球排出樋３０を回収ボックス２０に対して回動可能に連結したものであり、これにより、当該アウト球排出樋３０は、例えば図１あるいは図４中の実線にて示した位置から同点線にて示した位置にまで回動できるものとなっているのである。
【００３６】
このため、当該アウト球排出樋３０の、アウト球が排出されることになる先端は、ヒンジ軸３１を中心に大きく振ることができるものとなっており、パチンコ機２１０の機種変更があった場合の、あるいは当該アウト球回収装置１００がパチンコ島のどの位置に設置されるかの状況に応じた、アウト球の排出位置を調整することができるのである。
【００３７】
従って、この請求項４のアウト球回収装置１００は、上記請求項１〜請求項３のいずれかに係るアウト球回収装置１００と同様な効果を発揮する他、アウト球排出樋３０によるアウト球の排出位置を調整することができるものとなっているのである。
【００３８】
そして、上記課題を解決するために、請求項５に係る発明の採った手段は、上記請求項１〜請求項４のいずれかに記載のアウト球回収装置１００について、
「アウト球排出樋３０の先端部に、アウト球の計数を行うタウンタのためのカウンタ支持部３２を形成したこと」
である。
【００３９】
すなわち、この請求項５のアウト球回収装置１００では、図１に示すように、アウト球排出樋３０の先端部分にカウンタ支持部３２を形成したものであり、このカウンタ支持部３２内には図示しないアウト球のカウンタが取り付けられることになるものである。
【００４０】
このカウンタ支持部３２は、アウト球排出樋３０の先端に形成したのであるから、上記請求項４のアウト球回収装置１００のように、アウト球排出樋３０が回収ボックス２０に対して回動されたとき、当該カウンタ支持部３２内に組み付けたカウンタの位置調整をも行うことになる。
【００４１】
従って、この請求項５のアウト球回収装置１００は、上記請求項１〜４のそれと同様な機能を発揮する他、アウト球を計数するカウンタの位置調整をも行うことができるものとなっているのである。
【発明の効果】
【００４２】
以上、詳述した通り、本発明においては、
「パチンコ島を構成する台枠２００上に固定される台本体１０と、この台本体１０に取り付けられてパチンコ機２１０から排出されてきたアウト球を受けて回収する回収ボックス２０と、この回収ボックス２０の排出口２２側に取り付けられるアウト球排出樋３０とを備えたアウト球回収装置１００であって、
台本体１０及び回収ボックス２０の、パチンコ機２１０とは反対側となる面に第１ヒンジ部１１及び第２ヒンジ部２１をそれぞれ設けて、これらの第１及び第２ヒンジ部１１・２１を、パチンコ機２１０と略平行となるヒンジピン４０にて連結することにより、台本体１０を台枠２００上に固定したままの状態で、回収ボックス２０をパチンコ島の中央側に回動し得るようにしたこと」
に主たる構成上の特徴があり、これにより、パチンコ機２１０の入れ替え作業に邪魔にならないようにすることのできるアウト球回収装置１００を提供することができたのである。
【００４３】
そして、本発明によれば、最終的に、下記の（１）〜（５）の効果を発揮することのできるアウト球回収装置１００を提供することができたのである。
【００４４】
（１）回収ボックス２０の台本体１０、従って台枠２００に対する位置調整が行えるものとなっているのであるから、アウト球の排出位置がそれまでのパチンコ機２１０とは異なる新規なパチンコ機２１０を導入する場合であっても、それに応じた当該アウト球回収装置１００自体の交換は不要である。
【００４５】
（２）回収ボックス２０の台本体１０、従って台枠２００に対する回動及び位置調整が行えるものとなっているのであるから、新規に導入されるパチンコ機２１０の設置作業の邪魔にはならない。
【００４６】
（３）新規なパチンコ機２１０を導入するにあたって、それに応じた各部の分解及び再組立を行う必要はない。
【００４７】
（４）新規に導入されるパチンコ機２１０に応じて、回収ボックス２０の退避回動及びスライド移動、アウト球排出樋３０の回動による位置調整が行える。
【００４８】
（５）アウト球の回収樋上に対する排出位置が、アウト球排出樋３０の回動によって、当該アウト球回収装置１００の取付位置調整を行うことなく自由に設定できる。
【発明を実施するための最良の形態】
【００４９】
次に、以上のように構成した各請求項に係る発明を、図面に示した最良の形態に基づき説明すると、図１には、本発明の最良形態に係るアウト球回収装置１００の斜視図が示してある。このアウト球回収装置１００は、基本的には、パチンコ島を構成する台枠２００上に固定される台本体１０と、この台本体１０に取り付けられてパチンコ機２１０から排出されてきたアウト球を受けて回収する回収ボックス２０と、この回収ボックス２０の排出口２２側に取り付けられるアウト球排出樋３０とを備えたものであり、これら各台本体１０、回収ボックス２０、及びアウト球排出樋３０は、合成樹脂等を材料としてそれぞれ別途に成形あるいは形成したものである。
【００５０】
台本体１０は、図１〜図３に示したように、全体として下駄を裏返しにしたような形状を有するもので、その基板部上には２つの支持脚１３が一体的に形成してあり、これらの支持脚１３の両側には、当該台本体１０を台枠２００にネジ止めや釘止めするための取付穴１２が形成してある。なお、本最良形態においては、中央に位置する取付穴１２については、他より長目に形成してあり、この長目の取付穴１２に対しては、後述する第２ヒンジ部２１の裏面に一体化したストッパ２６の先端の係合辺２６ａが係合できるようにしてある。
【００５１】
このアウト球回収装置１００では、図２及び図３に示したように、台本体１０上に一対の支持脚１３を設けたものであったが、これらの支持脚１３は、当該台本体１０上に回動されてきた、つまり図５中の実線にて示した位置に復帰されてきた回収ボックス２０を略水平状に支持するものである。
【００５２】
また、この台本体１０は、これに一体化した支持脚１３を使用して、図３にも示したように台枠２００上に固定されるのであるが、この台本体１０は、回収ボックス２０を回動可能に支持するものでもある。そのために、この台本体１０の、パチンコ機２１０とは反対側となる面に、第１ヒンジ部１１が一体的に形成してある。この第１ヒンジ部１１は、図１及び図３に示したように、台本体１０の基板部から後方に突出するものであり、本最良形態では、当該基板部の略中央に一体化してある。この台本体１０側の第１ヒンジ部１１に対しては、図１及び図５に示したように、回収ボックス２０側の第２ヒンジ部２１がヒンジピン４０によって枢着される。
【００５３】
回収ボックス２０は、図１〜図５に示したように、パチンコ機２１０から排出されてきたパチンコ球（アウト球）を受け取って回収する部分となるものであり、パチンコ機２１０とは反対側となる部分に第２ヒンジ部２１を一体的に形成したものである。なお、この回収ボックス２０内の角には、図１及び図２に示したように、回収したアウト球を後述するアウト球排出樋３０側に排出するための排出口２２が形成してあることは言うまでもない。
【００５４】
この回収ボックス２０の第２ヒンジ部２１は、台本体１０側の第１ヒンジ部１１に対してヒンジピン４０により回動可能に連結されるものであることは前述した通りであるが、この第２ヒンジ部２１のパチンコ機２１０側端部は、図３及び図５に示したように、長く延在させたものとしてあり、この延在させた部分をスライド部２１ａとしたものである。このスライド部２１ａは、図３に示したように、回収ボックス２０の裏面に一体的に形成した案内爪２３の間にスライド可能に挿入されることになるものであり、これにより、当該回収ボックス２０を台本体１０に対して位置調整可能に支持することになるものである。この位置調整方向は、図５の図示左右方向であり、パチンコ機２１０の表裏方向に対する位置調整を可能にするものである。
【００５５】
本最良形態に係るアウト球回収装置１００の回収ボックス２０では、図１及び図３に示したように、排出口２２を囲む位置に係合板２４が一体的に形成してあり、この排出口２２の表面には多数の係合凹所２４ａが形成してある。この案内爪２３は、後述するアウト球排出樋３０を回動したとき、その回動位置を固定しておくために使用するものであり、その各係合凹所２４ａには、アウト球排出樋３０側のストッパ３３が係合されるのである。また、この台本体１０の、係合板２４によって囲まれた裏面には、図３に示したように、受部収納部２５が形成してあり、この受部収納部２５内には、後述するアウト球排出樋３０側のアウト球受部３４が収納されることになるものである。
【００５６】
なお、本最良形態に係るアウト球回収装置１００では、図３に示したように、その回収ボックス２０側の第２ヒンジ部２１の裏面中央部にストッパ２６が一体的に形成してあり、このストッパ２６は、台本体１０側の各支持脚１３と共同して台本体１０に対する回収ボックス２０の支えを行うものである。また、このストッパ２６の先端には、図３及び図５に示したように、係合辺２６ａが形成してあり、この係合辺２６ａは、当該回収ボックス２０が台本体１０上に復帰されたときに、台本体１０側の中央の取付穴１２内に係合するのであり、これにより、回収ボックス２０の台本体１０に対する固定がなされるのである。
【００５７】
アウト球排出樋３０は、回収ボックス２０で回収したアウト球を、例えば図５に示した回収樋上に排出するものであり、回収ボックス２０に対して回動可能に連結したものである。このアウト球排出樋３０の回収ボックス２０側端部は、受部収納部２５内に収納できるアウト球受部３４としてあり、このアウト球受部３４を、図１及び図３に示したように、回収ボックス２０側に取り付けられるヒンジ軸３１によって回動可能に連結したものである。
【００５８】
また、このアウト球排出樋３０の回収ボックス２０側基端部外側には、図１にも示したように、ストッパ３３が回動自在に連結してある。このストッパ３３は、回動軸３３ａによって回収ボックス２０側基端部に回動可能に連結したものであり、このストッパ３３の裏面には、前述した係合板２４の係合凹所２４ａに係合し得る図示しない突起が形成してある。従って、このストッパ３３は、これを図１の実線にて示した位置に固定できることは勿論、当該アウト球排出樋３０自体の回収ボックス２０からの回動を、当該ストッパ３３と回収ボックス２０側の係合板２４との係合を解除することにより、可能にするものである。
【００５９】
さらに、このアウト球排出樋３０の先端部には、図１に示したように、カウンタ支持部３２が形成してあり、このカウンタ支持部３２内には図示しないアウト球のカウンタが取り付けられる。つまり、このカウンタ支持部３２は、アウト球排出樋３０の先端に形成したのであるから、アウト球排出樋３０が回収ボックス２０に対して回動されたとき、当該カウンタ支持部３２内に組み付けたカウンタの位置調整をも行うことになり、アウト球を計数するカウンタの位置調整をも行うものである。
【図面の簡単な説明】
【００６０】
【図１】本発明に係るアウト球回収装置の回収樋側からみた斜視図である。
【図２】同アウト球回収装置について回収ボックスを引き起こしたときの状態を示す斜視図である。
【図３】図２に示した状態のアウト球回収装置をパチンコ機側からみた斜視図である。
【図４】同アウト球回収装置の平面図である。
【図５】同アウト球回収装置を台枠上に取り付けて回収ボックスを回動したときの状態を示した部分破断側面図である。
【図６】従来の技術を示すパチンコ島の部分縦断面図である。
【図７】図６の部分拡大図である。
【図８】従来の他の例を示す分解斜視図である。
【図９】従来のさらに他の例を示すパチンコ島の部分縦断面図である。
【符号の説明】
【００６１】
１００  アウト球回収装置
１０  台本体
１１  第１ヒンジ部
１２  取付穴
１３  支持脚
２０  回収ボックス
２１  第２ヒンジ部
２１ａ  スライド部
２２  排出口
２３  案内爪
２４  係合板
２４ａ  係合凹所
２５  受部収納部
２６  ストッパ
２６ａ  係合辺
３０  アウト球排出樋
３１  ヒンジ軸
３２  カウンタ支持部
３３  ストッパ
３３ａ  回動軸
３４  アウト球受部
４０  ヒンジピン
２００  台枠
２１０  パチンコ機
【図１】
2005287692.tif 000003
【図２】
2005287692.tif 000004
【図３】
2005287692.tif 000005
【図４】
2005287692.tif 000006
【図５】
2005287692.tif 000007
【図６】
2005287692.tif 000008
【図７】
2005287692.tif 000009
【図８】
2005287692.tif 000010
【図９】
2005287692.tif 000011